(57)【要約】      （修正有）【課題】高さの低い組み立て簡易な床下構造体により、制振性能、遮音性能及び歩行性能を高くし、しかも床スラブの厚みを薄くしても剛性を高めた、新築建造物及びリフォーム建造物の床スラブ上の床下構造体を提供する。【解決手段】床板体１０１、１０２と床スラブ３００間に配置の床下構造体２００は、床スラブ３００両側の梁Ｘ間に亘り且つ平行して配置し上面に弾性緩衝体を介して床板体１０１、１０２を載置支持した複数の金属製の大引ビーム２１０と、金属製のサブビーム２２０とからなり、大引ビーム２１０の下部を載置支持するπ型の台座を有してなる第一制振器５００を長手方向の両側部に配置し、下面と床スラブ３００との間に点的充填制振部６１０、又はガイドスポンジを平行配設し、その間に帯状シーリング制振部６２０、又は大引ビームの下部長手方向の中央部底部を載置支持し水平アームを床スラブ上に載置支持する逆π型のビーム載置座を配置した。【選択図】図２
2012136925.tif 000002
【特許請求の範囲】
【請求項１】
建築物の床構造体において、床板体と床スラブ間に配置の床下構造体は、床スラブ両側の梁間に亘り且つ互いに平行して配置し上面に弾性緩衝体を介して床板体を載置支持した複数本の金属製の大引ビームからなり、大引ビームの下部と床スラブとの間において、前記大引ビームの下部を弾性緩衝体を介して載置支持する逆π型のビーム載置座面を有し、その両側部の水平アームに上部を装着する一対の座脚を有し、この各座脚の下部にπ型の台座と床スラブとの間に介設する弾性緩衝体を装着してなる第一制振器を大引ビームの長手方向の両側部に配置し、大引ビームの長手方向の両側部間の下面と床スラブとの間には、所定間隔で弾性緩衝体を点的に充填した点的充填制振部を配置し、又は前記点的充填制振部を床スラブ上の遮音マット又は増打コンクリートで形成した増強段設部に載置支持し、又は所定区間に一対のガイドスポンジを平行配設しその間に弾性緩衝体を充填した帯状シーリング制振部を配置し、又は中央部の凹陥部に弾性緩衝体を介して大引ビームの下部長手方向の中央部底部を載置支持し両側部の水平アームを床スラブ上に設けた遮音マット又は増打コンクリートで形成した増強段設部に載置支持する逆π型のビーム載置座を配置した床スラブ上の床下構造体。
【請求項２】
大引ビームを横断面形状が、中空矩形型、チャンネル型、コ字型（Ｃ型）、Ｈ型、Σ型の何れか一つの型の大引ビームにしてなることを特徴とする請求項１に記載の床スラブ上の床下構造体。
【請求項３】
大引ビームの側面に円形、楕円形、三角形、四角形、五角形、六角形のうち一つ以上の空気流通用穴を設けたことを特徴とする請求項１又は請求項２に記載の床スラブ上の床下構造体。
【請求項４】
前記第一制振器の一対の台座を繋ぎアームで連結支持したことを特徴とする請求項１〜請求項３の何れか一つに記載の床スラブ上の床下構造体。
【請求項５】
前記大引ビームの側部間に、大引ビームの長手方向に沿って互いに平行に複数本の金属製のサブビーム配置し、大引ビーム側面とサブビームの両端部とは着脱可能に接続したことを特徴とする請求項１〜請求項４の何れか一つ記載の床スラブ上の床下構造体。
【請求項６】
大引ビームとサブビームの接続構成は、サブビームの両端部に下向きフックを設けると共に大引ビームの側面から肩にかけて切欠部を設け、この切欠部にサブビームのフックを上から挿入して嵌めて着脱可能に接続してなることを特徴とする請求項１〜請求項５の何れか一つに記載の床スラブ上の床下構造体。
【請求項７】
サブビームを横断面形状が、チャンネル型、Σ型、Ｈ型、中間部を窪ませた変形矩形、Ｃ型のいずれか一つにしてなることを特徴とする請求項１〜請求項６の何れか一つに記載の床スラブ上の床下構造体。
【発明の詳細な説明】
【技術分野】
【０００１】  コンクリート躯体の梁間に打設する床スラブ（コンクリートスラブ）と床下構造体と床板体を振動絶縁接合し、しかも床スラブ厚を構造性能上必要とされる最小の厚さに薄くしても剛性を高め、且つ床下構造体の高さをコンパクトに低くすることを可能にして、制振性能、遮音性能及び歩行性能を高めた画期的な床スラブ上の床下構造体に関するものである。
【背景技術】
【０００２】  従来、床構造体は，例えば、正梁構造のコンクリート躯体を備えた建物では，その床スラブ上に複数の束を立てると共に躯体縁には，大引をアンカー止めし，さらにその大引上に根太をアンカー止めし，根太の上に床板体を敷設するなど一体的に結合した構造となっているため，床板体に加わる振動が，根太と大引と束から床スラブを介して増大し、他の居住空間特に階下の居住空間に大きな振動・騒音となって伝わる。このため床構造体には前記した振動・騒音に対する制振・遮音対策が必要となっている趨勢にある。【０００３】このような趨勢において床構造体は、床板体から床下構造体を介して他の居住空間に伝わる振動騒音を低減するため、種々の改良を加えた制振・遮音床下構造の開発が進められてきた。【０００４】その開発内容は、次の特許文献１〜特許文献１に記載の例のように、床スラブと前記床板体との間において、床下構造体の内部、前記床下構造体と床板体との間等に、適宜に空間部、空気流通隙間、弾性緩衝体（材）等を配置する等多義に亘っているがこれらの単なる採用によって、制振性能、遮音性能及び歩行性能を高めようとすると、床スラブから床板体までの高さが大幅に高くなり重量も増大する結果、床スラブも設計上スケールアップするなどの増強体としなければならない。【０００５】また床スラブ自体を水平面と傾斜面及び段差を組合せて床支持スパン方向のスラブ厚さと形状が異なる変断面したものやスラブ中央部分の上面又は下面若しくは上・下両面に、厚さが異なる金属板を一体的に付設して床剛性を高められ、且つ構造断面厚さを変化させたもの等の施工に多くの材料と時間と費用を必要とする構造もある。【０００６】一方、床上空間はこの床構造体に左右されずに居住のための必要な所要高さの空間を確保しなければならない制約を伴う。これらのことから床スラブ及び床構造体コストの低減が極めて困難なものとなっている。
更に、建造物の長寿命化推進や環境対策の観点から、建築物の改造規制や建築物における床スラブコンクリートのはつり作業及びはつり屑処分等が厳しく規制されている現状では、前記従来床構造から遮音床構造へのリフォームは、既成の床スラブを活かし且つ必須の床上居住空間を確保することを考慮すると極めて困難なものとなっている。
【先行技術文献】
【特許文献】
【０００７】
【特許文献１】特許第４２１９６５３号公報「束石の上に床材を敷設する建物の床改修工法」概要：床スラブ上に束石−木製の大引材−根太材−捨貼り材−フローリング材を順次敷設した床構造体の床改修工法で、束石、大引材、根太材を再利用し、束石上に高調整具と緩衝材を配置し、根太材の上に捨貼り材、フローリング材を敷設した床改修工法。
【特許文献２】特許第２６４６４６９号公報「ＲＣ構造のマンション等の集合住宅、体育館、事務所ビル、教室等の床構造」概要：コンクリートスラブ等の床基盤と床組材との間に加水分解緩衝材を設け、床組材上に通気手段を備えた捨張材及び仕上材と巾木を設けて床下と室内の空気流通を図った床構造。
【特許文献３】第２７１９５５０号公報「コンクリート建築物の床構造」概要：コンクリートスラブ上にプラスチックス発泡体を接合し、その上に下面空隙式床下地材と通気性材料と床仕上材を順次張設したコンクリート建築物の床構造。
【特許文献４】特開２００１−２６３４２０号公報「防振脚体および防振ユニット脚体」概要：防振脚体８は、弾性台座と、少なくとも上部側に支持体の螺着用ねじ部が形成された金属製の棒状脚体とから構成し、弾性台座に、棒状脚体の下端部を回転可能に上方から嵌入する凹部を形成する一方、棒状脚体に、脚体下端部の嵌入状態で弾性台座の上面に着座するフランジ体を連設し、このフランジ体またはフランジ体上部の棒状脚体部分と棒状脚体の上端とに、棒状脚体を回転操作するための工具の係止部を形成した防振脚体および防振ユニット脚体。
【特許文献５】特開２００１−８１８９１号公報「床スラブ上の遮音床構造」概要：各階を仕切り逆梁を一体に突設した水平躯体部分と，鉛直躯体部分と，この逆梁上に，大引と根太よりなる床枠を架設し，この床枠上に床板を敷設し，この床板上に床上空間を，また床板下に床下空間をそれぞれ形成してなる建物において，大引を弾性緩衝体を介して嵌着する金物を一対の立設ガイド片で支持し，前記大引の端縁と前記鉛直躯体部分との間に間隙を形成した遮音床構造。
【特許文献６】特開２０００−１１０３３１号公報「床材の施工方法」概要：床下地の上に複数の床材を接着敷設する床材の施工方法において、厚み０．４〜１．０ｍｍの合成樹脂発泡体両面粘着テープを床下地に１００〜３５０ｍｍ間隔で貼り、床材と床材の接合部に位置する床下地に接着剤を上記両面粘着テープより厚く塗布し、その上に床材を敷設する床材の施工方法。
【特許文献７】特開平８−４１８５号公報「建築物の床構造」概要：水平躯体上に突設の逆梁間に大引を架設し、大引上に根太を介して床材を支持する。大引の端部及び床材の端部と逆大梁との間に間隙を形成し、大引は弾性変形可能なΣ形鋼して遮音性を向上させた建築物の床構造。
【特許文献８】特開２００６−９２４９号公報「変断面コンクリート床スラブ構造」梁と繋がるスラブの端部は構造性能上必要とされる最小の厚さとされ、中央部分は前記最小の厚さよりも厚く形成されており、スラブ下端面は住戸の奥行き方向に直線的に下る傾斜面に形成され、スラブを床支持スパンの全体で見ると水平面と傾斜面及び段差の組合せで床支持スパン方向のスラブ厚さと形状が異なる変断面の構成として遮音性能を向上させた。
【特許文献９】特開２００７−７７５７０号公報「金属板（主として鋼板）付き変剛性コンクリート床スラブ」コンクリートスラブの構造断面は構造性能上必要とされる最小の厚さを基本寸法として形成され、少なくともスラブ中央部分の上面又は下面若しくは上・下両面に、厚さが異なる金属板が一体的に付設されて床剛性が高められ、且つ構造断面厚さを変化させて遮音性能が向上した。
【発明の概要】
【発明が解決しようとする課題】
【０００８】  本発明は、床スラブと床下構造体と床板体とを振動絶縁係合し、しかも高さの低い組み立て簡易な軽量堅牢な床下構造体にすることにより、制振性能、遮音性能及び歩行性能を高くし、しかも新築建造物では、床スラブを複雑な断面変化構造にすることなく床スラブの厚みを構造性能上必要とされる最小の厚さに薄くしてコストを大幅に低減可能にし、リフォーム建造物では、既成の床スラブを活かし且つ必須の床上居住空間を確保できる画期的な床スラブ上の床下構造体を提供するものである。
【課題を解決するための手段】
【０００９】  本発明の特徴とするところは、次の（１）〜（７）の通りである。
（１）、建築物の床構造体において、床板体と床スラブ間に配置の床下構造体は、床スラブ両側の梁間に亘り且つ互いに平行して配置し上面に弾性緩衝体を介して床板体を載置支持した複数本の金属製の大引ビームからなり、大引ビームの下部と床スラブとの間において、前記大引ビームの下部を弾性緩衝体を介して載置支持する逆π型のビーム載置座面を有し、その両側部の水平アームに上部を装着する一対の座脚を有し、この各座脚の下部にπ型の台座と床スラブとの間に介設する弾性緩衝体を装着してなる第一制振器５００を大引ビームの長手方向の両側部に配置し、大引ビームの長手方向の両側部間の下面と床スラブとの間には、図２〜図５に示すように所定間隔で弾性緩衝体を点的に充填した点的充填制振部を配置し、又は図１１に示すように前記点的充填制振部を床スラブ上の遮音マット又は増打コンクリートで形成した増強段設部に載置支持し、又は図６と図７に示すように所定区間に一対のガイドスポンジ６２１を平行配設しその間に弾性緩衝体６２２を充填した帯状シーリング制振部６２０を配置し、又は図９と図１０に示すように中央部の凹陥部８０１に弾性緩衝体５０２を介して大引ビーム２１０Ａの下部長手方向の中央部底部を載置支持し両側部の水平アーム８０３を床スラブ３００上に設けた遮音マット又は増打コンクリートで形成した増強段設部７００に載置支持する逆π型のビーム載置座８００を配置した床スラブ上の床下構造体。
（２）、大引ビームを横断面形状が、中空矩形型、チャンネル型、コ字型（Ｃ型）、Ｈ型、Σ型の何れか一つの型の大引ビームにしてなることを特徴とする前記（１）に記載の床スラブ上の床下構造体。
（３）、大引ビームの側面に円形、楕円形、三角形、四角形、五角形、六角形のうち一つ以上の空気流通用穴を設けたことを特徴とする前記（１）又は（２）に記載の床スラブ上の床下構造体。
（４）、前記第一制振器の一対の台座を繋ぎアームで連結支持したことを特徴とする前記（１）〜（３）の何れか一つに記載の床スラブ上の床下構造体。
（５）、前記大引ビームの側部間に、大引ビームの長手方向に沿って互いに平行に複数本の金属製のサブビーム配置し、大引ビーム側面とサブビームの両端部とは着脱可能に接続したことを特徴とする前記（１）〜（４）の何れか一つ記載の床スラブ上の床下構造体。
（６）、大引ビームとサブビームの接続構成は、サブビームの両端部に下向きフックを設けると共に大引ビームの側面から肩にかけて切欠部を設け、この切欠部にサブビームのフックを上から挿入して嵌めて着脱可能に接続してなる前記（４）に記載の床スラブ上の床下構造体。
（７）、サブビームを横断面形状が、チャンネル型、Σ型、Ｈ型、中間部を窪ませた変形矩形、Ｃ型のいずれか一つにしてなることを特徴とする前記（５）又は（６）に記載の床スラブ上の床下構造体。
本発明において弾性緩衝体、の材質は、弾性クッション性があり好ましくは耐圧性や耐振性のある例えばシリコン樹脂や合成樹脂ゴム等の合成樹脂、或いは天然ゴム等の天然樹脂でよい。【００１０】  本発明において、前記増強段設部は、大引ビームの中央部直下で直交方向に連続した帯状に又は点列する島状に構成するもので、具体的には耐圧性や耐振性のある硬質ゴムマット等の遮音マットや、また床スラブの打設の際に床スラブの中央部と一体的に増打するか又は別途適宜なタイミングで増打する増打コンクリートであり、これで床スラブの厚みを構造性能上必要とされる最小の厚さに薄くしても剛性を高め且つ、上記した床下構造体の本体自信の高さをコンパクトに低くすることを可能にして、全体的に制振性能、遮音性能及び歩行性能を優位に高めるものである。
【発明の効果】
【００１１】  本発明の床スラブ両側の梁間に亘る床スラブ上の床下構造体は、実施例に具体的な効果を紹介したように、床下構造体の上下を振動絶縁接続部でサンドイッチ式に振動絶縁接合して、床スラブと床板体との間に配置し、しかも床下構造体自体を、高さの低い組み立て簡易な軽量堅牢な構造にし、且つ上記のように増強段設部により剛性と遮音性能を効率よく高めることにより、制振性能、遮音性能及び歩行性能を格段に高くし、しかも新築建造物では、床スラブを薄くしてコストを大幅に低減可能にし、リフォーム建造物では、既成の床スラブを活かし且つ必須の床上居住空間を確保できる画期的な効果を呈する極めて優れた発明である。
【図面の簡単な説明】
【００１２】
【図１】本発明の実施例を示す概略鳥瞰図。
【図２】図１の大引ビーム２１０に沿った横断側面図。
【図３】図２と図６の円Ａ内の側面拡大説明図。
【図４】図２と図６の矢視Ｂ−Ｂからの断面説明図。
【図５】図２の矢視Ｃ−Ｃからの断面説明図。
【図６】図１の大引ビーム２１０に沿った横断側面図。
【図７】図６の矢視Ｄ−Ｄからの断面説明図。
【図８】大引ビームの各種構造例を示し第一制振器に繋ぎアームを付設した横断面説明図である。
【図９】チャンネル型の大引ビーム大引ビーム中央部を逆π型のビーム載置座面で載置支持しその両側部の水平アームを遮音マット又は増打コンクリートで形成した増強段設部を介設して床スラブ上に配置した床スラブ上の床下構造体の横断側面図である。
【図１０】図９の矢視Ｅ−Ｅからの断面説明図。
【図１１】チャンネル型の大引ビーム大引ビーム中央部の支持として、点的充填制振部６１０を床スラブ３００上の遮音マット又は増打コンクリートで形成した増強段設部７００に載置支持した例の横断側面図である。
【発明を実施するための形態】
【００１３】発明を実施するための形態を次の実施例と共に詳細に説明する。
【実施例】
【００１４】  本発明の実施例を図１〜図１０と共に詳細に説明する。
図１〜図１０に示す床下構造体の例は、建築物の床構造体において、床スラブ両側の梁Ｘ間に亘り且つ互いに平行して配置し上面に弾性緩衝体を介して床板体を載置支持した複数本の金属製の大引ビーム２１０（２１０Ａ，２１０Ｂ，２１０Ｃ，２１０Ｄ，２１０Ｅ，２１０Ｆ）からなり、大引ビーム２１０の下部と床スラブ３００との間において、前記大引ビームの下部を弾性緩衝体を介して載置支持する逆π型のビーム載置座を有し、その両側部の水平アームに上部を装着する一対の座脚を有し、この各座脚の下部にπ型の台座と床スラブとの間に介設する弾性緩衝体を装着してなる第一制振器５００を大引ビームの長手方向の両側部に配置し、大引ビームの長手方向の両側部間の下面と床スラブ３００との間には、所定間隔で弾性緩衝体を点的に充填した点的充填制振部６１０を配置し、又は所定区間に一対のガイドスポンジを平行配設しその間に弾性緩衝体を充填した帯状シーリング制振部６２０を配置し、又は中央部の凹陥部に弾性緩衝体を介して大引ビームの下部長手方向の中央部底部を載置支持し両側部の水平アームを床スラブ上に設けた遮音マット又は増打コンクリートで形成した増強段設部７００に載置支持する逆π型のビーム載置座８００を配置した床スラブ上の床下構造体である。【００１５】  建築物の床構造体は、床スラブ３００の上に配置の床下構造体２００と床板体１００とその間を振動絶縁する上振動絶縁接続部と下振動絶縁接続部とからなる。
床板体１００は、木製のパーチクルボード（各種ベニヤ合板やチップ圧縮板等の床パネル等）１０１とその上に配設した木製の無垢板、化粧合板等のフロ−リング１０２（無垢板、化粧合板等）とからなる。【００１６】  床下構造体２００は、大引ビーム２１０とサブビーム２２０とを着脱可能に接合してなる。
大引ビーム２０１は、複数本を平行に床スラブ３００の両端部にある梁Ｘの直上間に渡らせた金属製で、断面形状がほぼ矩形の中空建材で構成し、側面に複数の円形の空気流通用穴２１１を切欠成形し、また側面の肩部にはサブビーム２２０との接合用の切欠部２１２を設けである。
大引ビーム２０１の横断面形状は図８の（１）〜（５）に示すように上記の矩形他に、チャンネル型２１０Ａ、Ｃ型（コ字型）２１０Ｂ、Ｈ型２１０Ｃ、中間部を窪ませた変形矩形２１０Ｄ、Σ型２１０Ｅ等にしてもよい。【００１７】  サブビーム２２０は、サブビーム２２０は、床板体１００への載置負荷及び又は大引ビーム２１０の平行配置の間隔値次第で不要にしてよい。本例では、大引ビーム２１０の側面の上部間に平行に配置し、下面開放型の横断面がコ字型の金属製建材であり、その両側には左右に下向きの接合用のフック２２１を一体的に形成してある。サブビーム２２０の横断面形状は上記のコ字型の他に、大引ビームと同様にチャンネル型、Σ型、Ｈ型、中間部を窪ませた変形矩形、Ｃ型、Ｙ型等にしてもよい。【００１８】  大引ビーム２１０とサブビーム２２０との接合は、大引ビーム２１０の切欠部２１２にサブビーム２２０のフック２２１を上から挿入して着脱可能に嵌めて接続する。【００１９】  この床下構造体２００は、大引ビーム２１０とその高さ内にサブビーム２２０を組み立て施工が簡便な着脱可能に配置した構成にしたので床下構造体２００の高さは大引ビーム２１０の高さ以内に集約されて低い軽量堅牢な構造体にすることができる。このため新築建造物では、床スラブ３００の軽量化を可能にし、床スラブ３００のコストを大幅に低減可能にし、リフォーム建造物では、環境対策上、床スラブ３００を現状維持可能にして施工できる等の画期的に優れた効果を呈するものである。【００２０】次に、大引ビーム２１０と床板体１００との上振動絶縁接続部は、弾性緩衝体である防振ゴム４１０で構成してある。防振ゴム４１０は上面フラット４１１にしてここで床板体１００の下面を接着接合して載置支持し、下面のフラット面部４１２を大引ビーム２１０上面に接着接合して非干渉的に載置支持し制振性と歩行性を向上させる。またこの大引ビーム２１０の上面をフラットな面取りとしてあるのでパーティクルやフローリング等からなる床板体１００の施工性を向上させる。【００２１】  大引ビーム２１０の下部と床スラブ３００上面との下振動絶縁接続部は、両側部において振動絶縁接続する第一制振器５００及び両側部間において図２〜図５に示す点的充填制振部６１０、又は図１１に示す点的充填制振部６１０増強段設部７００、又は図６と図７に示す帯状シーリング制振部６２０、又は図９と図１０に示す逆π型のビーム載置座８００と増強段設部７００により振動絶縁接続する。【００２２】  第一制振器５００は、大引ビーム２１０の長手方向の両側部に配置され、前記大引ビーム２１０の下部を耐圧・耐振性の合成樹脂ゴム製の弾性緩衝体５０１を介して載置支持するビーム載置座面５０２を有し、ビーム載置座面５０２の両側部の各々に上部をナット５０３で螺合装着する一対の座脚５０４を有し、この各座脚５０４の下部にナット５０５で螺合装着し床スラブ３００との間にシリコン樹脂製の弾性緩衝体５０６を充填し接着接合したπ型台座５０７を有してなる。ビーム載置座面５０２はナット５０３、５０５の適宜な締め位置調節により大引ビーム２１０支持高さ位置を調節してビーム間のレベリングを行うと同時に床スラブ３００上面との不陸を皆無にする。【００２３】  この第一制振器５００は、大引ビーム２１０からの左右上下等の振動を弾性緩衝体５０１、ビーム載置座面５０２、一対の座脚５０４、弾性緩衝体５０６、π型台座５０７を順次介して分散暫減の吸収緩衝して床スラブ３００への伝播を防止すると共に床下構造体２００と床板体１００の全荷重及び振動を均等に分散負担して吸収緩衝し床スラブ３００を介して梁Ｘへの荷重負荷を大幅に軽減する。【００２４】  第一制振器５００のビーム載置座面５０２は逆π型載置金物にしたため、その中央部の凹部に弾性緩衝体５０１を介して大引ビーム２１０の下部を載置支持して優れた弾性クッション機能を発揮する。台座５０５はπ型受け座としその中央部の凹部内で座脚５０３の下部と螺合接続したため優れた弾性クッション機能を有する。
第一制振器５００の台座５０７を繋ぎアーム５１０で連結して所謂４リンク支持構造体することにより、床スラブと大引ビーム間の隙間を若干大きくした際又は床板体上に重量物を載置する際の、座屈や末広がり変形等を確実に防止し制振機能及び遮音機能そして歩行性能を正常に維持するものである。【００２５】  第一制振器５００間に設置する点的充填制振部６１０は、図１と図５に示す。点的充填制振部６１０は、大引ビーム２１０の下部長手方向に所定間隔で充填穴６１１を設け、空気流通用穴２１１から挿入した充填機の注入口から充填穴６１１に弾性緩衝体を点的に充填して床スラブ３００との間を絶縁接続して構成する。
これにより床スラブ２１０との間に空気が流通する隙間を形成し、大引ビーム２１０間の空間を連通開放して振動や騒音の共鳴や増幅を防止すると共に、床構造体から大引ビーム２１０に伝わる上下左右等の揺動を吸収して歩行性能を向上させると同時に床スラブへの振動や騒音の伝播を遮断するものである。
また図１１に示すように点的充填制振部６１０は、床スラブ３００上の遮音マット又は増打コンクリートで形成した増強段設部７００の上面に載置接続支持してよい。【００２６】  又帯状シーリング制振部６２０は、図６と図７に示す。帯状シーリング制振部６２０は、大引ビーム２１０の下部長手方向の所定区間に連続的に帯状に配置したものであり、一対のガイドスポンジ６２１を平行配設しその間にシリコン樹脂製の弾性緩衝体６２２を充填接合してシーリングした振動絶縁接続部である。
この帯状シーリング制振部６２０により、床板体１００から大引ビーム２１０に伝わる上下左右等の多方向からの揺動を受けても床スラブの不陸に追従して緩衝吸収し、歩行性能を向上させると同時に床スラブ３００への振動や騒音の伝播を遮断するものである。またガイドスポンジ５３１は、空気振動を緩衝し、且つ充填した弾性緩衝体５３２を粉塵気体、高温空気や低温空気から保温保護して、その劣化を長期にわたって防止し帯状シーリング制振部５３０の制振機能と遮音機能を良好に維持するのである。【００２７】  又逆π型のビーム載置座８００は、図９及び図１０に示す。逆π型のビーム載置座８００は中央部の凹陥部８０１に弾性緩衝体８０２を介して大引ビーム２１０Ａの下部長手方向の中央部底部を載置支持し両側部の水平アーム８０３の下面を弾性緩衝体８０４を介して床スラブ３００上に設けた遮音マット又は増打コンクリートで形成した増強段設部７００に載置支持する。これで床スラブ３００の厚みを構造性能上必要とされる最小の厚さに薄くして床スラブ３００全体の剛性を高め且つ遮音性能を向上させる。
前記各増強段設部７００は、大引ビーム２１０Ａの中央部直下で直交方向つまり梁スパン間の奥行き方向に連続した帯状に又は断続的に配列した島状に構成して、薄い床スラブ３００の剛性を向上させる。増強段設部７００を増打コンクリートで構成する場合は、床スラブの中央部と一体的に増打するか又は別途適宜なタイミングで増打する。【００２８】  また大引ビーム２１０の側部に空気流通用穴２１１を形成したことにより大引ビーム２１０間の空間を連通開放して空気振動や騒音及び反響音を低減し共鳴や増幅を防止するのである。またこの空気流通用穴２１１は設備配管、空調用の空気口等として活用することができるので施工性を大幅に改善する。【００２９】  このようにして、本発明の床スラブ上の床下構造体は、床スラブ上に床下構造体と床板体を非干渉型にして配置したものであり、制振性能、遮音性能及び歩行性能を著しく向上させ併せて床スラブ３００全体の剛性を有利に高めたものである。
【産業上の利用可能性】
【００３０】  本発明は、前述に紹介したすぐれた効果によって、次に紹介するように建造物の建築施工産業界への貢献は多大なものがあります。
〇二重床でありながら床スラブ厚は、従来２００ｍｍ以上に設計施工していたものを約１３８ｍｍの低厚化を実現し、更に増強段設部により薄厚の床スラブ全体の剛性をバランス良く高め、○振動を伝える媒体となる束を皆無にして音の伝播を低減し、○遮音性能を床スラブ厚に頼ることなく、構造的には必要のないスラブ厚の増加を防ぎ、建物全体の軽量化が図れ、○躯体工事費は、床スラブを１３５ｍｍと軽量化にした場合、建造物の柱、梁、基礎等も削減でき躯体コストは均質単板スラブ（厚み１５０ｍｍ，１８０ｍｍ，２００ｍｍ）やポイドスラブ、アンポイドＰＣスラブとの比較で８〜３０％の低減が図れ、○設備工事費は、設備配線、配管の躯体内への打ち込みを無くし異業種の共同作業を削減し、○設備配線、配管の露出配置が可能で、メンテナンスが容易に行え、その労力、時間、費用を軽減しコスト面の負担を大きく軽減し、○躯体と居住床を分離する発想は、メンテナンスや生活環境の変化にも容易に対応することができるため、国土交通省が進めるＳＩ住宅そのものの発想と共通し長期優良住宅（建設寿命＝躯体寿命）の発想に繋がり、○このようにして高耐久性住宅化の実現は建物を長く安全に活用でき、ライフサイクルコストの削減に大きく貢献する。
【符号の説明】
【００３１】１００：床板体
２００：床下構造体
２１０：大引ビーム
２２０：サブビーム
２１１：空気流通用穴
２１２：接合用の切欠部
２２１：接合用のフック
３００：床スラブ
５００：第一制振器
６１０：点的充填制振部
６２０：帯状シーリング制振部
７００：増強段設部
８００：逆π型のビーム載置座
【図１】
2012136925.tif 000003
【図２】
2012136925.tif 000004
【図３】
2012136925.tif 000005
【図４】
2012136925.tif 000006
【図５】
2012136925.tif 000007
【図６】
2012136925.tif 000008
【図７】
2012136925.tif 000009
【図８】
2012136925.tif 000010
【図９】
2012136925.tif 000011
【図１０】
2012136925.tif 000012
【図１１】
2012136925.tif 000013